(57)【要約】【課題】本体モジュールと露出パネルとを備える情報通信装置において、露出パネルの後面と施工面との間の隙間をなくす。【解決手段】インターホン親機は、壁に開設された施工孔に後部が挿入された形で壁に固定される本体モジュール１０と、後面における周部を壁面に当接させる形で本体モジュール１０の前面に取り付けられる露出パネル２０とを備える。露出パネル２０の上下両端部には、トリマねじ４１が挿通される挿通孔２４が貫設され、トリマねじ４１は、本体モジュール１０の前面から延設され先端部後面が壁面に密着する取付板１１に螺合する。【選択図】図１
2009213088.tif 000002
【特許請求の範囲】
【請求項１】
他の機器と通信するための信号線が接続され施工面に設けられた施工孔内に後部が挿入されて固定される本体モジュールと、後面における周部を施工面に当接させる形で本体モジュールの前面に取り付けられる露出パネルとを備え、本体モジュールと露出パネルとは互いに凹凸係合することにより本体モジュールと露出パネルとを係合させる係合部および被係合部を備え、露出パネルは、先端部が本体モジュールと施工面との一方に螺合して露出パネルの後面を施工面に押し付けるトリマねじが挿通される挿通孔を備えることを特徴とする情報通信装置。
【請求項２】
前記トリマねじは、前記本体モジュールの前面に沿って本体モジュールから延設された取付板に螺合することを特徴とする請求項１に記載の情報通信装置。
【発明の詳細な説明】
【技術分野】
【０００１】
本発明は、施工面に取り付けられる本体モジュールと、本体モジュールに装着される露出パネルとを備え、他の機器との間で通信を行う情報通信装置に関するものである。
【背景技術】
【０００２】
従来から、宅内の施工面（壁）に取り付けられ、また、宅外などに設置された他の機器と信号線を用いて接続され、当該他の機器との間で通話などの通信を行う情報通信装置が提供されている。
【０００３】
この種の情報通信装置においては、壁内に後部を埋め込む形で壁に取り付けることにより壁面から突出する寸法を小さく抑えた情報通信装置が提供されている（例えば、特許文献１参照）。このような情報通信装置においては、壁内に後部が埋め込まれる本体モジュールと、本体モジュールの前面に取り付けられる露出パネルとに情報通信装置を分離した構成が考えられる。
【０００４】
露出パネル２０を本体モジュール１０前面に取り付ける構成の一例を、図７を参照して説明する。本体モジュール１０は箱状に形成され、壁Ｗ（図４参照）に開設された施工孔４２（図４参照）の開口面の後方に固定された箱状のスイッチボックス３０（図４参照）内に後部が収容される形で固定される。
【０００５】
本体モジュール１０の前面には、スイッチボックス３０と螺合する取付ねじが挿通される取付孔１１ａ（図２参照）がそれぞれ貫設された上下一対の取付板１１（図２参照）が延設されている。取付ねじを締め付けて本体モジュール１０を固定すると、上側の取付板１１の上端部および下側の取付板１１の下端部は、それぞれ壁面に密着する。
【０００６】
露出パネル２０は薄箱状に形成され、本体モジュール１０の前面に取り付けられる。露出パネル２０を本体モジュール１０に取り付けるため、下側の取付板１１に貫設された引掛孔１１ｄ（図２参照）に差し込まれる鉤片２１（図２参照）が露出パネル２０の後面下部に突設され、また、上側の取付板１１に貫設された係合孔１１ｂ（図２参照）に挿通される装着突起２２が露出パネル２０の後面上部に突設される。装着突起２２は取付板１１後面に引っ掛かる爪部２３を先端部に備えている。
【０００７】
また、露出パネル２０と取付板１１とは、後面が略同一面上となるように形成され、露出パネル２０の周部における後面は壁面に当接している。
【特許文献１】特開平６−２９１８１８号公報
【発明の開示】
【発明が解決しようとする課題】
【０００８】
ところで、上述の構成においては、装着突起２２を上側の取付板１１に引っ掛け、鉤片２１を引掛孔１１ｄに引っ掛けることにより露出パネル２０を本体モジュール１０に取り付ける構成であるから、壁面にクロス材が貼られ、施工孔４２の周囲においてクロス材にしわがあると、しわにより露出パネル２０が壁面から浮き上がり、露出パネル２０の後面と壁面との間に隙間が生じることがある（図６（ｂ）参照）。
【０００９】
本発明は上記事由に鑑みて為されたものであり、その目的は、壁面に貼られたクロス材のしわの有無に関わらず、露出パネルと壁面との間に隙間が生じることのない情報通信装置を提供することにある。
【課題を解決するための手段】
【００１０】
請求項１の発明は、他の機器と通信するための信号線が接続され施工面に設けられた施工孔内に後部が挿入されて固定される本体モジュールと、後面における周部を施工面に当接させる形で本体モジュールの前面に取り付けられる露出パネルとを備え、本体モジュールと露出パネルとは互いに凹凸係合することにより本体モジュールと露出パネルとを係合させる係合部および被係合部を備え、露出パネルは、先端部が本体モジュールと施工面との一方に螺合して露出パネルの後面を施工面に押し付けるトリマねじが挿通される挿通孔を備えることを特徴とする。ことを特徴とする。
【００１１】
請求項２の発明では、請求項１の発明において、トリマねじは、本体モジュールの前面に沿って本体モジュールから延設された取付板に螺合することを特徴とする。
【発明の効果】
【００１２】
請求項１の発明の構成では、露出パネルはトリマねじが挿通される挿通孔を備え、トリマねじにより露出パネルの後面における周部を施工面に押し付けることができるから、施工面に貼られたクロス材にしわがある場合においても露出パネルの後面と施工面との間の隙間をなくすことができる。
【００１３】
請求項２の発明の構成では、請求項１に記載の発明において、トリマねじは本体モジュールの前面に沿って本体モジュールから延設された取付板に螺合するから、施工面を傷つけることなく露出パネルの後面と施工面との間の隙間をなくすことができる。
【発明を実施するための最良の形態】
【００１４】
以下の実施形態では、他の機器としてのドアホン子機（図示せず）と通話などの通信を行い、インターホンシステムを構築するインターホン親機を情報通信装置の一例として説明する。
【００１５】
図２，図３，図４を参照して本実施形態について説明する。ドアホン子機は通話機能およびカメラを備え宅外に設置され、インターホン親機は、通話機能を備え、施工面である宅内の壁Ｗに取り付けられ、また、ドアホン子機と通信線（図示せず）で接続される。インターホン親機は、箱状に形成される本体モジュール１０と、薄箱状に形成される露出パネル２０と、露出パネル２０の周囲を包囲する枠状の化粧プレートＰとを備える。
【００１６】
本体モジュール１０の後壁には、本体モジュール１０が備える接続端子１８に信号線を接続するため端子用窓１９が開設される。接続端子１８に信号線を接続した後、本体モジュール１０は器具配線用のスイッチボックス３０を用いて壁Ｗに固定される。
【００１７】
スイッチボックス３０は、前端が開口する箱状に形成され、壁Ｗに開設された施工孔４２の開口面の後方に固定される。スイッチボックス３０には、本体モジュール１０を固定するための取付ねじ（図示せず）がねじ込まれる取付ねじ孔３２が前端に形成された上下一対の器具固定用突起３１が、内底面の上下両端部から２組突設される。
【００１８】
本体モジュール１０には、取付ねじが挿通される取付孔１１ａが貫設された上下一対の取付板１１が前面の上下両端部から互いに離れる向きに延設される。上側の取付板１１の上端と下側の取付板１１の下端との間の寸法は、施工孔４２の上下方向の寸法よりも大きく形成され、取付ねじを取付ねじ孔３２にねじ込んで締め付けると、各取付板１１の先端部後面は壁面に密着する。
【００１９】
露出パネル２０の前壁には、表示器２５の画面を外部より視認できるようにするためのパネル用開口２６が開設される。また、露出パネル２０の前壁には複数個の操作釦２７が配設され、各操作釦２７には入力操作を行うための複数個の操作スイッチ（図示せず）が連動する。操作釦２７を操作することにより、通話機能などの機能を使用することが可能となる。
【００２０】
露出パネル２０は、後壁に開設されたパネル側接触端子用窓（図示せず）から外部に露出するパネル側接触端子（図示せず）を備える。本体モジュール１０は、前壁に開設された本体側接触端子用窓（図示せず）の後方に本体側接触端子（図示せず）を備える。露出パネル２０を本体モジュール１０の前面に取り付けると、パネル側接触端子と本体側接触端子とが接続し、露出パネル２０は本体モジュール１０と電気的に接続する。
【００２１】
露出パネル２０を本体モジュール１０の前面に取り付けるため、係合部として、露出パネル２０の後面には先端が下方を向く複数個のＬ字状の鉤片２１が下部に突設され、上側の取付板１１に引っ掛かる爪部２３を先端部に備える複数個の装着突起２２が上部に突設される。一方、被係合部として、下側の取付板１１には各鉤片２１がそれぞれ差し込まれる複数個の引掛孔１１ｄが形成され、上側の取付板１１には装着突起２２が挿通される係合孔１１ｂが貫設される。
【００２２】
図５に示すように露出パネル２０の上部を前方に倒した状態で各鉤片２１（図２参照）を各引掛孔１１ｄ（図２参照）に引っ掛け、次いで、各装着突起２２を各係合孔１１ｂにそれぞれ挿通して爪部２３を上側の取付板１１に引っ掛けて露出パネル２０を本体モジュール１０に取り付ける。ここにおいて、露出パネル２０の後面には取付板１１が嵌まる凹所（図示せず）が凹設され、露出パネル２０の後面と取付板１１の後面とは略同一面上となる。すなわち、露出パネル２０の周部における後面は壁面に当接する。
【００２３】
図６（ａ）に示すように壁面に貼られたクロス材Ｃが施工孔４２の周囲において平らである場合は、露出パネル２０は壁面（クロス材Ｃ表面）に当接するが、図６（ｂ）に示すように施工孔４２の周囲においてクロス材Ｃにしわがあると、しわにより露出パネル２０が壁面から浮き上がり、露出パネル２０の後面と壁面との間に隙間が生じることがある。
【００２４】
本実施形態では、図１に示すように露出パネル２０をトリマねじ４１により壁面に押し付けることができる。具体的に説明すると、露出パネル２０の上端部および下端部には、トリマねじ４１が挿通できる複数個の挿通孔２４が貫設され、一方、各取付板１１には、トリマねじ４１をねじ込むことができる複数個のねじ受け孔１１ｃがそれぞれ形成される。各挿通孔２４は、化粧プレートＰで覆い隠される部位に形成される。
【００２５】
トリマねじ４１を締め付けることにより、図６（ｃ）に示すように露出パネル２０は取付板１１に押し付けられる。すなわち、露出パネル２０後面は、クロス材Ｃのしわを押しつぶしながら壁面に押し付けられ、露出パネル２０の後面と壁面との間の隙間がなくなる。
【００２６】
上述したように本実施形態では、施工孔４２の周囲にしわがあり露出パネル２０と壁面との間に隙間がある場合は、トリマねじ４１を用いて隙間を無くすことができる。
【００２７】
また、上述したようにトリマねじ４１は化粧プレートＰに覆われる位置に配置されるから、トリマねじ４１は外部より視認することができず、トリマねじ４１の使用により外観が変化することがない。
【００２８】
なお、本実施形態ではトリマねじ４１は取付板１１に螺合する構成であるが、トリマねじ４１は壁Ｗに螺合する構成であってもよい。
【図面の簡単な説明】
【００２９】
【図１】実施形態の側面図である。
【図２】実施形態の背面側の斜視図である。
【図３】実施形態の前面側の斜視図である。
【図４】実施形態においてスイッチボックスを取り付けた状態の壁の斜視図である。
【図５】実施形態の組立時の側面図である。
【図６】実施形態の概略側面図であり、（ａ）はクロス材にしわがない場合、（ｂ）はクロス材にしわがある場合、（ｃ）はトリマねじを取り付けた場合の図である。
【図７】従来例を示す側面図である。
【符号の説明】
【００３０】
１０  本体モジュール
１１  取付板
１１ｂ  係合孔（被係合部）
１１ｄ  引掛孔（被係合部）
２０  露出パネル
２１  鉤片（係合部）
２２  装着突起（係合部）
２３  爪部（係合部）
２４  挿通孔
４１  トリマねじ
Ｗ  壁（施工面）
【図１】
2009213088.tif 000003
【図２】
2009213088.tif 000004
【図３】
2009213088.tif 000005
【図４】
2009213088.tif 000006
【図５】
2009213088.tif 000007
【図６】
2009213088.tif 000008
【図７】
2009213088.tif 000009